(57)【要約】【課題】  防水仕上げへの障害を軽減でき、さらに、必要な強度を確保しつつ、簡単で安価な立上り壁パネルの取付け構造を提供する。【解決手段】  立上り壁パネルを上下２箇所で取り付ける立上り壁パネルの取付け構造において、取付け金具（３）は、前記立上りパネルに埋設されたアンカー部材（５）がねじ止めされるボルト部材（４）の軸部に被せられる寸法関係で帯鋼材によりＵ字型に成形されており、Ｌ字型定規アングル（２，６）の垂直フランジ面に固着される第１の垂直面（３ｃ）と、立上り壁パネルに当接する位置関係に形成される第２の垂直面（３ｂ）とを、第２の垂直面（３ｂ）が、被せられるボルト部材（４）の軸部の中心軸よりも下方に位置するように設ける。【選択図】      図１
2005127015.tif 000002
【特許請求の範囲】
【請求項１】
Ｈ型鉄骨梁の上面に第１のＬ字型定規アングルを固着し、第１のＬ字型定規アングルに第１の取付け金具を固着し、第１の取付け金具を介して、立上り壁パネルに埋設された第１のアンカー部材をねじ止めすることにより、立上り壁パネルの上側部を固定し、第１のＬ字型定規アングルに鉛直方向下方に伸びる第２のＬ字型定規アングルを固着し、第２のＬ字型定規アングルの下部に第３のＬ字型定規アングルを固着し、第３のＬ字型定規アングルに第２の取付け金具を固着し、第２の取付け金具を介して、立上り壁パネルに埋設された第２のアンカー部材をねじ止めすることにより、前記立上り壁パネルの下側部を固定する立上り壁パネルの取付け構造において、
第１の取付け金具および第２の取付け金具は、第１のアンカー部材および第２のアンカー部材がねじ止めされるボルト部材の軸部に被せられる寸法関係で帯鋼材によりＵ字型に成形されており、第１または第３のＬ字型定規アングルの垂直フランジ面に固着される第１の垂直面と、該第１の垂直面より隆起して立上り壁パネルに当接する位置関係に形成される第２の垂直面とを備えること、
を特徴とする請求項１に記載の立上り壁パネルの取付け構造。
【請求項２】
第１の取付け金具および第２の取付け金具それぞれの第２の垂直面は、被せられるボルト部材の軸部の中心軸よりも下方に位置することを特徴とする請求項１に記載の立上り壁パネルの取付け構造。
【請求項３】
立上り壁パネルに埋設されたアンカー部材をねじ止めするためのボルト部材の軸部に被せられる寸法関係で帯鋼材によりＵ字型に成形された立上り壁パネル用取付け金具であって、該金具が固着されるＬ字型定規アングルに当接する第１の垂直面を有しており、かつ、立上り壁パネルに当接するように、該金具の上部で第１の垂直面から突出するリブ部に第２の垂直面を有することを特徴とする立上り壁パネル用取付け金具。
【請求項４】
前記第２の垂直面が、被せられるボルト部材の中心軸よりも下方に位置することを特徴とする請求項３に記載の立上り壁パネル用取付け金具。
【請求項５】
立上り壁パネルに埋設されるアンカー部材にねじ止めされるボルト部材と、該ボルト部材挿通用の溝を有するＵ字型部と、該Ｕ字型部から延材する一対の脚部とからなり、該脚部は、一方の側縁部がＵ字型部側において突出部を有し、該突出部の先端が立上り壁パネルに突合する平面になっていて、前記突出部の高さは、立上り壁パネルと脚部の側縁部と突出部とで画成される隙間が支持板部材を受け入れられるようにしたことを特徴とする立上り壁パネル用取付け金具。
【発明の詳細な説明】
【技術分野】
【０００１】
本発明は、立上り壁パネルの取付け構造に関し、特に、ＡＬＣパネルなどの壁パネルを鉄骨躯体に取り付けて、ベランダ等の立上り壁を構成する場合において、施工効率、コスト、美観および強度面で優れた立上り壁パネルの取付け構造に関する。また、本発明は、当該構造において使用される立上り壁パネル用取付け金具に関する。
【背景技術】
【０００２】
従来、ベランダ等を構築する際の立上り壁パネルの取付け構造は、たとえば図５に示すように、Ｈ型鉄骨梁（１）の上部（１ａ）にＬ字型定規アングル（２）を溶接固定し、Ｌ字型定規アングル（２）にイナヅマ型取付け金具（８）を溶接固定し、該イナヅマ型取付け金具（８）を介して立上り壁パネル（Ｐ）をＬ字型定規アングル（２）に取り付ける。また、補強アングル（７）を介してＬ字型定規アングル（２）に溶接固定されたパネル自重受け用の受けアングル（６）にイナヅマ型取付け金具（８）を溶接固定し、該イナヅマ型取付け金具（８）を介して立上り壁パネル（Ｐ）を受けアングル（６）に取り付ける。
【０００３】
また、立上り壁パネル（Ｐ）の取付け用金具として、前記イナヅマ型取付け金具のほか、特開平９−１４４１８６号公報では、取付け板と、その上部に延長する突出片と、取付け板の両端縁を折り曲げて形成したリブ片と、リブ片の下方に垂下する垂下リブ片とから構成されるボルト挿通部を設けた取付け金具が提案されている。
【０００４】
これらの取付け金具を使用した立上り壁パネルの取付け構造では、立上り壁内側に補強鋼材が露出しない構造となっているので、ベランダ部分の防水層の施工が容易に行える点や、補強鋼材による意匠的な障害が少なくて済む利点がある。
【０００５】
しかし、この構造では、取付け金具を、必要強度を確保するために、その鋼材の厚さを厚くしたり、または、金具自体を大きくする必要があり、コスト面および施工面で不利である。
【０００６】
また、ベランダの床スラブの厚さが一定の寸法以下になった場合、梁上部に設置された取付け金具がスラブ上に露出し、防水仕上げに支障をきたす可能性があった。
【特許文献１】特開平９−１４４１８６号公報
【発明の開示】
【発明が解決しようとする課題】
【０００７】
本発明の目的は、建築物の鉄骨梁に壁パネルを取付けて、ベランダ等の立上り壁を構成する場合に、防水仕上げへの障害を軽減でき、さらに、必要な強度を確保しつつ、簡単で安価な立上り壁パネルの取付け構造およびこれに使用する取付け金具を提供することにある。
【課題を解決するための手段】
【０００８】
本発明に係る立上り壁パネルの取付け構造は、Ｈ型鉄骨梁の上面に第１のＬ字型定規アングルを固着し、第１のＬ字型定規アングルに第１の取付け金具を固着し、第１の取付け金具を介して、壁パネルに埋設された第１のアンカー部材をねじ止めすることにより、立上り壁パネルの上側部を固定し、第１のＬ字型定規アングルに鉛直方向下方に伸びる第２のＬ字型定規アングルを固着し、第２のＬ字型定規アングルの下部に第３のＬ字型定規アングルを固着し、第３のＬ字型定規アングルに第２の取付け金具を固着し、第２の取付け金具を介して、壁パネルに埋設された第２のアンカー部材をねじ止めすることにより、前記立上り壁パネルの下側部を固定する立上り壁パネルの取付け構造に関し、当該構造において、第１の取付け金具および第２の取付け金具は、第１のアンカー部材および第２のアンカー部材がねじ止めされるボルト部材の軸部に被せられる寸法関係で帯鋼材によりＵ字型に成形されており、第１または第３のＬ字型定規アングルの垂直フランジ面に固着される第１の垂直面と、該第１の垂直面より隆起して立上り壁パネルに当接する位置関係に形成される第２の垂直面とを備えることを特徴とする。
【０００９】
この構造において、第１の取付け金具および第２の取付け金具それぞれの第２の垂直面は、被せられるボルト部材の軸部の中心軸よりも下方に位置するようにすることが好ましい。
【００１０】
また、本発明に係る立上り壁パネル用取付け金具は、立上り壁パネルに埋設されたアンカー部材をねじ止めするためのボルト部材の軸部に被せられる寸法関係で帯鋼材によりＵ字型に成形された立上り壁パネル用取付け金具であって、該金具が固着されるＬ字型定規アングルに当接する第１の垂直面を有しており、かつ、立上り壁パネルに当接するように、該金具の上部で第１の垂直面から突出するリブ部に第２の垂直面を有することを特徴とする。
【００１１】
前記第２の垂直面は、被せられるボルト部材の中心軸よりも下方に位置することが好ましい。
【００１２】
さらに、本発明に係る立上り壁パネル用取付け金具は、立上り壁パネルに埋設されるアンカー部材にねじ止めされるボルト部材と、該ボルト部材挿通用の溝を有するＵ字型部と、該Ｕ字型部から延材する一対の脚部とからなり、該脚部は、一方の側縁部がＵ字型部側において突出部を有し、該突出部の先端が立上り壁パネルに突合する平面になっていて、前記突出部の高さは、立上り壁パネルと脚部の側縁部と突出部とで画成される隙間が支持板部材を受け入れられるようにしたことを特徴とする。
【発明の効果】
【００１３】
本発明に係る立上り壁パネル用取付け金具およびこれを用いた立上り壁パネルの取付け構造を採用することにより、梁から取付け金具上端までの距離を小さくできるため、ベランダ防水工事への支障が極めて少なくなる。また、取付け金具も簡単な構造で安価であり、取付け部の耐力も大きい。さらに、立上り壁パネルの取付けも容易であることから、施工効率の向上およびコスト低減効果も大きいものとなる。
【発明を実施するための最良の形態】
【００１４】
以下、本発明の実施形態を、図面に基づいて説明する。図１は、本発明の一実施例を示す一部透視斜視図である。図２（Ａ）、（Ｂ）は、図１に使用する取付け金具の一実施例を示す斜視図である。（Ａ）は、側縁部にリブ部すなわち突出部を設けない側から見た図で、（Ｂ）は、リブ部すなわち突出部を設けた側から見た図である。図３（Ａ）、（Ｂ）は、取付け金具とボルト部材を組み合わせる際の組立て斜視図である。（Ａ）は、立上り壁パネルに埋設されるアンカー部材にねじ止めされるボルト部材と、本発明の立上り壁パネル用取付け金具との組合せを示し、（Ｂ）は、矢印のように相対移動してボルト部材をＵ字型部に挿入したところを示す。図４は、取付け金具を示す側面図である。
【００１５】
後方を示すために点線で示した立上り壁パネル（Ｐ）は、上下２箇所で、すなわち、垂直方向中央部と下端部とで、取り付けられる。
【００１６】
Ｈ型鉄骨梁（１）の上面（１ａ）に、Ｈ型鉄骨梁（１）と立上り壁パネル（Ｐ）との位置関係を調整するための第１のＬ字型定規アングル（２）が溶接固定され、Ｌ字型定規アングル（２）に第１の取付け金具（３）が溶接固定され、第１の取付け金具（３）を介して、ボルト部材（４）と第１のアンカー部材（５）とがねじ止めされて、立上り壁パネル（Ｐ）の垂直方向中央部が固定される。なお、図示の場合は、立上り壁パネル（Ｐ）の垂直方向中央部で固定しているが、これよりも垂直方向下端部側で、ないしは、垂直方向上端部で固定してもよい。
【００１７】
Ｈ型鉄骨梁（１）から下部鉛直方向に、第２のＬ字型定規アングルである補強アングル（７）が溶接固定され、補強アングル（７）の下部に第３のＬ字型定規アングルである受けアングル（６）が溶接固定され、受けアングル（６）に取付け金具（３）が溶接固定され、第２の取付け金具（３）を介して、ボルト部材（４）と第２のアンカー部材（５）とがねじ止めされて、立上り壁パネル（Ｐ）の下部が固定される。
【００１８】
図２（Ａ）、（Ｂ）に示すように、取付け金具（３）は、成形された帯鋼材をＵ字型に曲げた形状をしており、換言すると、Ｕ字型部すなわち折り曲げ部（３ａ）と、これから延在する一対の脚部（３ｄ）とからなり、この形状により該取付け金具（３）を立上り壁パネルに埋設されたアンカー部材をねじ止めするためのボルト部材（４）の軸部に被せることができる。
【００１９】
取付け金具（３）の脚部（３ｄ）には、Ｌ字型定規アングル（２，６）に当接する第１の側縁部すなわち垂直面（３ｃ）を有しており、前記ボルト部材（４）の軸部に被せてから、または、ボルト部材（４）の軸部が取付け金具（３）のＵ字型部すなわち折り曲げ部（３ａ）内側を貫通しうるようにして、第１の側縁部すなわち垂直面（３ｃ）をＬ字型定規アングル（２，６）に溶接固定する。
【００２０】
また、第１の垂直面（３ｃ）の上方で、Ｕ字型の折り曲げ部（３ａ）の下側に、第１の垂直面から突出する突出部すなわちリブ部を有する。該突出部すなわちリブ部には、立上り壁パネルに当接する第２の垂直面（３ｂ）が設けられている。この第２の垂直面（３ｂ）が、被せられるボルト部材の中心軸よりも下方に位置するように、当該突出部すなわちリブ部は設計される。
【００２１】
本発明に係る取付け金具（３）は、厚み３．２〜６ｍｍの鋼材より形成され、第１の垂直面から突出するリブ部の突出寸法は、Ｌ字型定規アングルの鋼材厚にあわせ６ｍｍ程度が望ましい。また、Ｕ字型折り曲げ部の一対の脚部（３ｄ）は、幅２０〜３０ｍｍで、ボルト部材に被さるよう１３ｍｍ程度の間隔を有することが望ましい。
【００２２】
取付けに際しては、図３（Ａ）、（Ｂ）に示すように、取付け金具（３）をボルト部材（４）に被せるようにしてから、Ｌ字型定規アングル（２，６）に取付ける。帯鋼材をＵ型に曲げたことにより、ボルト部材（４）の上から、上部にはみ出す折り曲げ部（３ａ）の寸法を、小さく抑えることができるため、従来より薄い床スラブであっても、スラブ上に鋼材がはみ出しにくく、結果としてベランダの防水仕上げに悪影響を与えない。
【００２３】
したがって、図４に示すように、立上り壁パネルと、第１の側縁部すなわち垂直面（３ｃ）と、突出部すなわちリブ部とで画成される隙間は、Ｌ字型定規アングル（２）の起立片すなわち垂直フランジ部が挿入される寸法となっている。
【００２４】
さらに、図４に示すように、取付け金具（３）においては、ボルト部材（４）の軸部の中心軸より下方に位置する第２の垂直面（３ｂ）で立上り壁パネル裏面に接する。従来のイナヅマ型金具では、荷重負担時に、イナヅマ型金具の上部が立上り壁パネル（Ｐ）の裏面に負担を与えていたが、本発明による取付け金具（３）は、小さな形状で、安定した取付け部強度を確保できる。
【図面の簡単な説明】
【００２５】
【図１】本発明の一実施例を示す一部透視斜視図である。
【図２】図１に使用する取付け金具の一例を示す斜視図である。（Ａ）は、側縁部にリブ部すなわち突出部を設けない側から見た図であり、（Ｂ）は、リブ部すなわち突出部を設けた側から見た図である。
【図３】取付け金具とボルトを組み合わせる際の組み立て斜視図である。（Ａ）は、立上り壁パネルに埋設されるアンカー部材にねじ止めされるボルト部材と、本発明の立上り壁パネル用取付け金具との組合せを示し、（Ｂ）は、矢印のように相対移動してボルト部材をＵ字型部に挿入したところを示す。
【図４】取付け金具を示す側面図である。
【図５】従来の立上り壁パネルの一実施例を示す一部透視斜視図である。
【符号の説明】
【００２６】
Ｐ  壁パネル
１  Ｈ型鉄骨梁
１ａ  上面
２  Ｌ字型定規アングル
２ａ  起立片（垂直フランジ部）
３  取付け金具
３ａ  折り曲げ部（Ｕ字型部）
３ｂ、３ｃ  垂直面
３ｄ  脚部
４  ボルト部材
５  アンカー部材
６  受けアングル
６ａ  起立片（垂直フランジ部）
７  補強アングル
８  従来のイナヅマ型金具
【図１】
2005127015.tif 000003
【図２】
2005127015.tif 000004
【図３】
2005127015.tif 000005
【図４】
2005127015.tif 000006
【図５】
2005127015.tif 000007